(57)【特許請求の範囲】
【請求項１】
露光開口を挟んだ一方側にパトローネを収納するパトローネ収納室を、他方側にパトローネから引き出したフイルムを収納するフイルム室をそれぞれ設けた本体基部と、
パトローネ室の上に回転自在に向けられ、フイルム巻き上げ時にフイルム巻き上げ方向に回転してフイルム室からパトローネ収納室に向けて写真フイルムを巻き上げる巻上げノブと、
前記露光開口の前面に取り付けられ、少なくとも撮影レンズ、シャッタ機構、及びフイルム巻き止め機構を組み込んだ露光ユニットと、
前記フイルム巻き止め機構の一部を構成しており、写真フイルムを１コマ分の長さだけ巻き上げたときに、前記露光ユニットとパトローネ収納室との間の空間を横切る巻止め爪が前記巻上げノブの外周から退避する巻き止め解除位置から前記外周に係合する巻き止め位置に回転して、前記巻き上げノブのフイルム巻き上げ方向の回転を止めるフイルム巻き止めを行う係止レバーと、
前記本体基部、露光ユニット、及び係止レバーを覆い、前記巻き上げノブの一部を外部に露呈する外カバーと、を備えるレンズ付きフイルムユニットにおいて、
前記パトローネ収納室と、前記露光ユニット又はその露光ユニットが取り付けられる本体基部の支持部とにそれぞれ係合して、これらの間を連結する間隔規制部材を前記外カバーの内壁に設け、フイルム巻止めが行われた後に更に前記巻上げノブをフイルム巻き上げ方向に回転することで前記係止レバーに加えられる力によって前記パトローネ収納室と前記露光ユニットとの間の空間が広がらないように前記間隔規制部材で規制したことを特徴とするレンズ付きフイルムユニット。
【請求項２】
前記外カバーの内壁の一部と前記パトローネ収納室とを、及び、前記外カバーの内壁のうちの前記一部とは異なる他部と前記露光ユニット又は前記支持部とを、前記空間が広がる方向に直交する方向で係合する凹凸によりそれぞれ係合し、２箇所で係合する一対の凹凸で前記間隔規制部材を構成したことを特徴とする請求項１記載のレンズ付きフイルムユニット。
【発明の詳細な説明】
【０００１】
【発明の属する技術分野】
本発明は、レンズ付きフイルムユニットに関するものである。
【０００２】
【従来の技術】
レンズ付きフイルムユニットには、露光開口を挟んだ両側にそれぞれ隙間を空けてパトローネを収納するパトローネ収納室と未露光の写真フイルムを収納するフイルム収納室とを前方に向けて突出して形成した本体基部が弾性を有するプラスチック材料で一体的に形成されている。この本体基部の露光開口の前面には、被写体光を撮影レンズから露光開口に導くための暗箱が配置される。フイルム巻き止め機構は、暗箱の上方に設けられており、パトローネ収納室の上方に回転自在に配置した巻上げノブの回転操作によって写真フイルムを１コマ分の長さだけ巻き上げた際に、係止レバーの巻止め爪が巻き止め位置に回転して巻上げノブの外周に設けた歯列に係合し、巻上げノブのフイルム巻き上げ方向の回転を阻止するとともに、写真フイルムのパーフォレーションに係合しているスプロケットの回転もロックする。
【０００３】
【発明が解決しようとする課題】
ところで、巻上げノブのフイルム巻き上げ方向への回転軌跡には、巻上げノブ及び係止レバーとの回転中心を結んだ線に対して半分が巻止め爪から離れる回転軌跡域であり、他方の半分が巻止め爪に向かってくる回転軌跡域となる。当然、巻止め爪を、向かってくる回転軌跡域内に入り込ますことで巻上げノブのフイルム巻き上げ方向への回転を阻止することができるが、この阻止は、巻上げノブと係止レバーとの回転中心の間隔を広げるように作用する。しかも、暗箱とパトローネ収納室との間には隙間があり、さらに本体基部が弾性を有するプラスチック材料で形成されているから、間隔が広がりやすい。これにより、フイルム巻き止めが行われた際に、これ以上の回転操作を無理やり行うと、前述した間隔の広がりにより巻上げノブがスリップして回転操作が許容され、引続きフイルム巻き上げが行われてしまう恐れがある。このような不具合が生じると、スプロケットがロックされた状態で写真フイルムが巻き上げられてしまうから、スプロケットによってパーフォレーションが破損又は損傷する。あるいは、写真フイルムが強じんな場合、スプロケットが破損又は損傷する。
【０００４】
本発明は、フイルム巻き止め機構の信頼性を向上させ、パーフォレーションやスプロケットの破損並びに損傷を防止したレンズ付きフイルムユニットを提供することを目的とする。
【０００５】
【課題を解決するための手段】
上記目的を達成するために、本発明は、パトローネ収納室と露光付与機構、又はこれが配置される本体基部の支持部との間を外カバーに設けた間隔規制部材で連結し、パトローネ収納室と露光付与機構との間の空間が広がらないように規制したものである。間隔規制部材は、例えばパトローネ収納室に形成した凹部と、露光付与機構又はこれが配置される本体基部の部分に形成した凹部とに、外カバーに形成した凸部をそれぞれ係合させる。この係合をパトローネ収納室と露光付与機構との間の空間が広がらない方向で行うことで、フイルム巻止めが行われた後に巻上げノブに加えられる巻上げ力によってパトローネ収納室と露光付与機構との間の空間が広がらないように規制することができる。具体的には、パトローネ収納室と、前記露光ユニット又はその露光ユニットが取り付けられる本体基部の支持部とにそれぞれ係合して、これらの間を連結する間隔規制部材を前記外カバーの内壁に設け、フイルム巻止めが行われた後に更に前記巻上げノブをフイルム巻き上げ方向に回転することで前記係止レバーに加えられる力によって前記パトローネ収納室と前記露光ユニットとの間の空間が広がらないように前記間隔規制部材で規制したものである。
【０００６】
【発明の実施の形態】
図２は、レンズ付きフイルムユニット１０の外観を示すものである。レンズ付きフイルムユニット１０は、写真フイルムパトローネや各種撮影機構が内蔵されたユニット本体１１とこれを収納する外ケース１２とから構成されている。外ケース１２は、ユニット本体１１に組み込まれた巻上げノブ１３，シャッタボタン１４等を露呈させるような輪郭となっており、また、撮影レンズ１７，ファインダ光学１８及び枚数表示用の表示窓１９等を露出させるための穴が設けられている。
【０００７】
ユニット本体１１は、図３に示すように、本体基部２０、パトローネ付き写真フイルム２５、及び外カバーとで構成されている。外カバーは、後カバー２１と前カバー２３とから構成されている。
【０００８】
前カバー２３は、本体基部２０の前面に着脱自在に取り付けられ、本体基部２０との間で露光ユニット２２を前及び上下方向から覆う。この前カバー２３の上面には、一部を切り欠いて弾性自在に形成したシャッタボタン１４が設けられている。
【０００９】
本体基部２０には、露光開口３３を挟んだ両側に各々隙間を空けてパトローネ収納室２７とフイルムロール室２９とが一体に形成されている。パトローネ収納室２７は、パトローネ２６を収納するため部屋であり、またフイルムロール室２９は、パトローネ２６から引き出した未露光の写真フイルム２８をフイルムロールの形態で収納するための部屋である。
【００１０】
パトローネ収納室２７とフイルムロール室２９との底は開口となっており、パトローネ付き写真フイルム２５を装填した後に、後カバー２１に設けたプルトップ式の底蓋３０，３１によってそれぞれ光密に塞がれる。底蓋３０は、撮影済みの写真フイルム２８を収納したパトローネ２６を取り出す際の蓋である。
【００１１】
パトローネ収納室２７の上には、巻上げノブ１３が回動自在に配置されている。巻上げノブ１３には、パトローネ２６のスプール２６ｂに係合する軸が一体に形成されている。この軸は巻上げノブ１３とともにフイルム巻き上げ機構を構成している。巻上げノブ１３は、一部が後カバー２１の開口２１ａから露呈されており、この露呈された部分をフイルム巻き上げ方向（図２に示す矢印方向）に回転させることによりスプール２６ｂが回転し、撮影済みの写真フイルム２８をパトローネ２６の内部に巻き上げる。
【００１２】
巻上げノブ１３の外周には歯列１３ａが形成されている。この歯列１３ａには、本体基部２０に設けた逆止爪２０ａが係合している。逆止爪２０ａは、巻上げノブ１３がフイルム巻き上げ方向とは逆の方向に回転操作されることを禁止する。
【００１３】
写真フイルム２８は、フイルム先端とフイルム後端との間の有効露光範囲に、一方の側縁に沿って２個のパーフォレーション２８ａ，２８ｂが２種類の間隔で交互に配列されており、間隔の長いパーフォレーション２８ｂ，２８ａの間の中心が露光開口３３を通る撮影光軸１７ａに合うように１コマずつ巻き上げられて露光が行われる。
【００１４】
パトローネ収納室２７とフイルムロール室２９との間には、暗箱の一部３２が設けられている。この暗箱の一部３２の前面には、露光付与機構をユニット化した露光ユニット２２が着脱自在に取り付けられる。露光ユニット２２は、残りの分割暗箱を一体に形成したベース３７に撮影レンズ１７、フイルム巻き止め機構、シャッタ機構、フイルムカウンタ機構、及びファインダ光学１８等を組み込み、上方から天板４６で押さえてユニット化した一体部品である。この露光ユニット２２を本体基部２０に取り付けることで暗箱が形成される。
【００１５】
パトローネ２６は、プラスチック製の二分割部品から構成されており、フイルム送出口の内部に開閉自在な蓋部材２６ａが設けられている。この蓋部材２６ａは、パトローネ２６の内部遮光用であり、この両端には、キー溝が形成されている。これらのキー溝は、スプール２６ｂの軸方向に沿った側面から外部に各々露呈されている。露光ユニット２２とパトローネ収納室２７との隙間には、現像所で行われる後カバー２１の底蓋３０を開く動作に連動して蓋部材を閉じる蓋部材閉じ機構が内蔵されている。
【００１６】
図４に示すように、蓋部材閉じ機構は、捩じりバネ６０、駆動軸６１、連結棒６２、及び後カバー２１の底蓋３０に形成された係止爪３０ａとで構成されている。駆動軸６１は、パトローネ収納室２７の上面に形成した開口２７ａを通して、パトローネ２６の蓋部材２６ａのキー溝に係合し、蓋部材２６ａを開閉する。捩じりバネ６０は、一端が本体基部２０のバネ受けに、また他端が駆動軸６１のバネ受けにそれぞれ引っ掛けられ、蓋部材２６ｃが閉じ位置となる方向に向けて駆動軸６１を付勢する。駆動軸６１と捩じりバネ６０との上には、天板の押さえリブ４６ａが位置しており、これらが上方に飛び出さないように押さえている。
【００１７】
連結棒６２は、パトローネ収納室２７の外側で暗箱の一部３２の横に組み込まれ、上端が駆動軸６１の回転軌跡内に臨む上昇位置と回転軌跡内から退避する下降位置との間で移動自在に組み込まれる。連結棒６２の上端は、上昇位置のときに、蓋部材２６ｃを開いた位置で駆動軸６１に当接してその回転を阻止している。この上昇位置のときに連結棒６２の下端は、底蓋３０がパトローネ収納室２７の底を閉じた状態で係止爪３０ａに係合する。
【００１８】
底蓋３０を開けると、これに連動して連結棒６２が下降位置に移動し、駆動軸６１の回転軌跡内から連結棒６２の上端が退避し、駆動軸６１がバネ６０の付勢により回転する。これにより、パトローネ２６の蓋部材２６ｃが開く。底蓋３０がある程度開かれると、連結棒６２の下端と係止爪３０ａとの係合が解除され、連結棒６２は下降位置の状態で保持される。
【００１９】
天板４６の上面には、図１にも示したように、一段下がった段差面４６ｂと、この段差面４６ｂを構成する段差壁４６ｃの反対側に形成されたリブ４６ｄとが一体に設けられている。また、パトローネ収納室２７には、上方に凹みを前カバー２３側に向けて形成した凹部２７ａが一体に設けられている。さらに、詳しくは図１にも示すように、前カバー２３の上面の内壁には、撮影光軸１７ａに沿って長く伸ばされたリブ２３ａが、また前カバー２３の前面内壁には、一対の凸部２３ｂがそれぞれ一体に形成されている。これらのリブ２３ａ及び一対の凸部２３ｂは、前カバー２３を本体基部２０に取り付けた際に、リブ２３ａが天板４６の段差壁４６ｃとリブ４６ｂとの間に、また一対の凸部２３ｂがパトローネ収納室２７の凹部２７ａにそれぞれ嵌合し、パトローネ収納室２７と露光ユニット２２との間隔が広がらないように作用している。なお、間隔規制部材を凹凸嵌合しているが、爪係合等で間隔を規制してもよい。
【００２０】
露光ユニット２２は、図５に示すように、ベース３７、間欠スプロケット３８、回転部材３９、板バネ４０、２個の捩じりバネ４１，４２、係止レバー４３、シャッタ駆動レバー４４、枚数表示板４５、及び、天板４６等でシャッタ機構、フイルム巻き止め機構、フイルムカウンタ機構などを構成している。ベース２２１ｂには、シャッタ開口が形成され、このシャッタ開口の前面にシャッタ羽根が開閉自在に組み込まれている。シャッタ羽根は引き戻しバネにより閉じ方向に付勢されており、これらを隠すようにシャッタカバー４７が取り付けられている。撮影レンズ１７は、このシャッタカバー４７の前面とホルダー４８との間に挟装されている。
【００２１】
ベース３７の上方右側には、対物レンズ５０と接眼レンズ４９とからなるファインダ光学１８が組み込まれている。この横の一段下がった面には、２つの軸５１，５２と軸受穴５３とがそれぞれ設けられている。軸５１には、シャッタ駆動レバー４４、捩じりバネ４１、枚数表示板４５とが順に挿入される。軸５２には、捩じりバネ４２、係止レバー４３とが順に挿入される。軸受穴５３には、回転部材３９が挿入され、この挿入した側に間欠スプロケット３８が係合する。間欠スプロケット３８は、本体基部２０の開口３４からフイルム面に向けて露呈される。
【００２２】
シャッタ駆動レバー４４は、チャージ位置とレリーズ完了位置との間で回動自在であり、捩じりバネ４１によりレリーズ完了位置に向けて付勢されている。係止レバー４３は、巻止め爪４３ｄが歯列１３ａに係合する巻き止め位置と巻止め爪４３ｄが歯列１３ａから退避する巻き止め解除位置との間で回動され、捩じりバネ４２により巻き止め位置に向けて付勢されている。
【００２３】
回転部材３９は、下から順に、一対の被押圧部５４ａからなる被押圧部５４、一対のチャージカム５５ａからなるチャージカム５５、一対の溝５６ａからなる巻止めカム５６、及び二歯ギヤ５７とがそれぞれ同軸で一体に形成されている。
【００２４】
スプロケット３８には、短い間隔で並んだ一対のパーフォレーション２８ａ，２８ｂに順次に噛合する一対の歯３８ａ，３８ｂが、円周面の回転対称の位置にそれぞれ二対突設されており、写真フイルム２８が１コマ分の長さだけ移送されることで半回転する。このスプロケット３８は、フイルム１コマ分の移送後に、一対の歯３８ａ，３８ｂのうち先頭の歯３８ａがパーフォレーション２８ａから外れ、後続の歯３８ｂがパーフォレーション２８ｂに噛合した状態で停止する。
【００２５】
シャッタ駆動レバー４４は、レリーズ完了位置の際に、立ち上がり片４４ｂが係止レバー４３に設けた立ち下がり片４３ｃに係合して係止レバー４３を巻き止め解除位置で保持する。フイルム移送に従動してスプロケット３８が反時計方向に回転すると回転部材３９も同期回転する。この回転によりチャージカム５５は、回転軌跡内に入り込んだシャッタ駆動レバー４４の一端４４ａを捩じりバネ４１の付勢に抗して押してシャッタ駆動レバー４４をチャージ位置に向けて回転させる。
【００２６】
１コマ分の長さだけ写真フイルム２８を移送する間に、シャッタ駆動レバー４４がチャージ位置に到達する。シャッタ駆動レバー４４がチャージ位置に到達すると、立ち上がり片４４ｂが立ち下がり片４３ｃの回転軌跡から退避して係止レバー４３の巻き止め解除位置での保持を解除する。これにより、係止レバー４３は捩じりバネ４２の付勢により巻き止め位置に向けて回転する。１コマ分の長さだけ写真フイルム２８が移送されると、係止レバー４３の爪部４３ｂの回転軌跡上に溝５６ａが回転してきて、爪部４３ｂが入り込む。これにより、係止レバー４３の巻き止め位置となり、スプロケット３８の回転をロックする。このとき、巻止め爪４３ｄが巻上げノブ１３の歯列１３ａに係合してフイルム巻き上げ操作を阻止する。
【００２７】
係止レバー４３が巻き止め位置に回転する途中では、立ち下がり片４３ｃがシャッタ駆動レバー４４の立ち上がり片４４ｂの回動軌跡内に入り込み、シャッタ駆動レバー４４をチャージ位置で保持する。
【００２８】
シャッタボタン１６の押下操作が行われると、係止レバー４３の立ち下がりロッド４３ａが押され、係止レバー４３が捩じりバネ４２の付勢に抗して巻き止め解除位置に向けて回転する。これにより、立ち下がり片４３ｃが立ち上がり片４４ｂの回動軌跡内から外れ、シャッタ駆動レバー４４が捩じりバネ４１の付勢によってレリーズ完了位置に向けて瞬時に回転する。この回転中に、蹴飛ばしアーム４４ｃがシャッタ羽根の一端を蹴飛ばす。シャッタ羽根は、蹴飛ばされることで軸中心にシャッタ開口を遮蔽する。その後に引き戻しバネで遮蔽位置に引き戻される。
【００２９】
シャッタ駆動レバー４４がレリーズ完了位置に回転すると、立ち上がり片４４ｂが立ち下がり片４３ｃの回動軌跡内に入り込んで、係止レバー４３を巻き止め解除位置で保持する。係止レバー４３が巻き止め解除位置の状態となると、巻止め爪４３ｄが歯列１３ａから退避し、また、爪部４３ｂが溝５６ａから抜け出している。これにより、次回のフイルム巻き上げ操作が許容される。
【００３０】
二歯ギヤ５７には、枚数表示板４５の外周に形成された歯列が噛合している。したがって、スプロケット３８が半回転すると二歯ギヤ５７が枚数表示板４５を一目盛り分だけ時計方向に回転させる。枚数表示板４５の上面には、その回転ピッチに対応して枚数表示用の目盛りが設けられている。この目盛りはその時点で撮影可能なフイルム枚数、すなわち残数表示目盛りとなっているから、この目盛りを天板４６に一体に形成した拡大レンズ４６ｅを通して外カバーに形成した表示窓１９から観察することによって残りコマ数を確認することができる。
【００３１】
被押圧部５４ａは、スプロケット３８の間欠回転を補助する作用を行うものであり、これらは回転対称の位置にそれぞれ設けられ、この回転軌跡内には、板バネ４０の先端４０ａが入り込んでいる。板バネ４０は、被押圧部５４ａを押圧する。この押圧は、スプロケット３８の従動方向に向けて作用され、したがって、スプロケット３８の歯３８ａ，３８ｂとの間の円周面が写真フイルム２８に対峙してスリップし易い状態でも確実にスプロケット３８をフイルム移送と同じに回転させることができる。
【００３２】
次に上記構成の作用を説明する。シャッタレリーズ後の状態は、スプロケット３８の歯３８ｂが短い間隔で並んだパーフォレーション２８ａ，２８ｂのうちパーフォレーション２８ｂに噛合した状態で停止している。シャッタ駆動レバー４４は、レリーズ完了位置の状態とされている。板バネ４０は、先端４０ａが一対の被押圧部５４ａの間に入り込んでいる。
【００３３】
フイルム巻き上げは巻上げノブ１３を図２に示す矢印方向に回転させる。この操作により、写真フイルム２８が巻き上げられる。このときのフイルム移送に従動してスプロケット３８が反時計方向に回転する。スプロケット３８は、歯３８ｂがパーフォレーション２８ｂから抜けた状態となると、この間で板バネ４０の先端４０ａがいずれか一方の被押圧部５４ａを押圧するので、この押圧力を利用してフイルム移送と同じに従動回転する。
【００３４】
その後、長い間隔で並んだパーフォレーション２８ａが到達し、これに歯３８ａが噛合し、その後、後続の歯３８ｂが次の短い間隔で並んだパーフォレーション２８ｂに噛合する。この間に、チャージカム５５ａが一端４４ａを押圧し、シャッタ駆動レバー４４を捩じりバネ４１の付勢に抗してチャージ位置に向けて回転させる。
【００３５】
シャッタ駆動レバー４４がチャージ位置に回転すると、立ち上がり片４４ｂが立ち下がり片４３ｃの回動軌跡内から退避するため、係止レバー４３が捩じりバネ４２の付勢により巻き止め位置に向けて回転する。そして、１コマ分の長さだけ写真フイルム２８が移送された時点で、スプロケット３８が半回転した状態となるため、溝５６ａに爪部４３ｂが入り込んで係止レバー４３が巻き止め位置の状態となる。
【００３６】
係止レバー４３が巻き止め位置となると、スプロケット３８の回転がロックされ、且つ巻止め爪４３ｄが歯列１３ａに係合して巻上げノブ１３のフイルム巻き上げ操作を阻止する。このとき、無理な力で巻上げノブ１３をさらにフイルム巻き上げ方向に回転させると、巻上げノブ１３に加えられる巻上げ力が図１に示す巻上げノブ１３の回転中心１３ｂと軸５２との間隔を広げるように作用する。また、プラスチック成型の外カバーが撓んで、同じように作用する。このため、巻止め爪４３ｄが歯列１３ａから逃げて巻上げノブ１３のフイルム巻き上げ方向への回転が許容されてしまう恐れがある。しかしながら、本実施例では露光ユニット２２とパトローネ収納室２７との間の空間が広がらないように、前カバー２３のリブ２３ａが天板４６の段差壁４６ｃとリブ４６ｂとの間に、また一対の凸部２３ｂがパトローネ収納室２７の凹部２７ａにそれぞれ嵌合しているため、無理な力で巻上げノブ２４をさらにフイルム巻き上げ方向に回転させても、また外カバーを撓ませても巻止め爪４３ｄが歯列１３ａから逃げることはない。
【００３７】
係止レバー４３が巻き止め位置となると、立ち下がり片４３ｃが立ち上がり片４４ｂの回動軌跡内に入り込み、シャッタ駆動レバー４４がチャージ位置で保持される。この状態では、チャージカム５５ａが一端４４ａの回動軌跡内から退避しているため、シャッタ駆動レバー４４のレリーズ完了位置までの回転が許容される。
【００３８】
撮影は、シャッタボタン１４の押下操作により行われる。このシャッタレリーズにより係止レバー４３が巻き止め解除位置に向けて回転される。これにより、立ち下がり片４３ｃが立ち上がり片４４ｂの回転軌跡から退避するため、シャッタ駆動レバー４４が捩じりバネ４１の付勢によりレリーズ完了位置に向けて瞬時に回転する。この間の回転で蹴飛ばしアーム４４ｃがシャッタ羽根の一端を蹴飛ばして露光が行われる。シャッタ駆動レバー４４がレリーズ完了位置に回転すると、立ち上がり片４４ｂが立ち下がり片４３ｃの回転軌跡内に入り込んで係止レバー４３を巻き止め解除位置に保持する。
【００３９】
以下、前述した操作を繰り返すことで、有効露光範囲のフイルム後端側のコマに露光が順次に行われ、露光済みの写真フイルム２８がパトローネ２６に内部に収納される。最後のコマに撮影を完了した後には、枚数表示板４５がこの旨を表示する位置に回転している。このとき、枚数表示板４５の下面に形成した突起４５ａで係止レバー４３の突起部４３ｅを当接させ係止レバー４３を巻き止め解除位置の状態で保持する。これによりフイルム巻き止め機構が作動しないから、全部の写真フイルム２８をパトローネ２６の内部に巻き込むことができる。
【００４０】
撮影済みのレンズ付きフイルムユニット１０は、そのまま現像所に提出され、ここで底蓋３０が開かれる。この底蓋３０の開き動作に連動して蓋部材閉じ機構が作動してパトローネ２６の蓋部材２６ａが閉じられる。その後、パトローネ２６が取り出される。この写真フイルムパトローネ２５は、蓋部材２６ａを開いた後に、スプール２６ｂをフイルム送り出し方向に回転させることで、写真フイルム２８がフイルム送出口から外部に送り出すことができる。これにより、写真フイルム２８を簡単に現像処理できる。現像した後には焼付け処理が行われて、プリント写真が得られる。現像済みの写真フイルム２８は、元のパトローネ２６に戻されてプリント写真とともにユーザーに返却される。
【００４１】
上記実施例では、前カバー２３と後カバー２１とで外カバーを構成し、前カバー２３に間隔規制部材を設けているが、本発明ではこれに限らず、例えば上半分に分割した上カバーと下半分に分割した下カバーとで外カバーを構成した場合には、上カバー又は下カバーの前面内壁に設ければよい。また、上記実施例では、２種類の間隔でパーフォレーションが形成された写真フイルム２８を採用しているが、本発明ではこれに限らず、１３５タイプのパトローネ付き写真フイルムを用いてもよい。この場合には周知の８歯のスプロケットを用いればよい。
【００４２】
【発明の効果】
以上説明したように、本発明のレンズ付きフイルムユニットでは、パトローネ収納室と、露光ユニット又はその露光ユニットが取り付けられる本体基部の支持部とにそれぞれ係合して、これらの間を連結する間隔規制部材を外カバーの内壁に設け、フイルム巻止めが行われた後に更に巻上げノブをフイルム巻き上げ方向に回転することで係止レバーに加えられる力によってパトローネ収納室と露光ユニットとの間の空間が広がらないように前記間隔規制部材で規制したから、フイルム巻き止めが確実となり、信頼性が向上する。また、外カバーを利用して間隔を規制するようにしたからコンパクト化を図ることができ、しかもローコスト化を達成することができる。
【図面の簡単な説明】
【図１】レンズ付きフイルムユニットの断面図である。
【図２】レンズ付きフイルムユニットの外観を示す斜視図である。
【図３】ユニット本体の構成を示す分解斜視図である。
【図４】蓋部材閉じ機構の要部を示す斜視図である。
【図５】露光ユニットの分解斜視図である。
【符号の説明】
２２  露光ユニット
２３  前カバー
２３ａ  リブ
２３ｂ  一対の凸部
２７  パトローネ収納室
２７ａ  凹部
４３ｄ  巻止め爪
４６  天板
４６ｂ  リブ
４６ｃ  段差壁
【図１】
0003770418.tif 000002
【図２】
0003770418.tif 000003
【図３】
0003770418.tif 000004
【図４】
0003770418.tif 000005
【図５】
0003770418.tif 000006